(57)【特許請求の範囲】
【請求項１】
入力画像色情報の各画素について、非再現色を画像出力系の再現可能な色に変換する色情報変換処理方法であって，
着目画素が前記画像出力系の色再現範囲の内側か否かを判断する判断ステップと，
非再現色の再現先を求める時に用いる基準明度値をあらかじめ設定する基準明度値設定ステップと，
前記判断ステップで色再現範囲の外側であると判断された前記着目画素の明度値と，前記基準明度値との大小関係を比較する明度比較ステップと，
前記明度比較ステップにおいて、前記着目画素の明度値が前記基準明度値よりも大きいと判断された場合は前記着目画素の明度値より低い明度値に変換後の明度値を決定し、前記着目画素の明度値が前記基準明度値よりも小さいと判断された場合は前記着目画素の明度値より高い明度値に変換後の明度値を決定する明度決定ステップと，
前記色再現範囲の境界線上であって前記明度決定ステップで決定された変換後の明度をもつ色を変換色とする変換色決定ステップと，
を含むことを特徴とする色情報変換処理方法。
【請求項２】
前記基準明度値設定ステップは，色相によらず一定の値に基準明度値を設定することを特徴とする請求項１に記載の色情報変換処理方法。
【請求項３】
前記基準明度値設定ステップは，分割した色相の各範囲それぞれに対して、基準明度値を設定することを特徴とする請求項１に記載の色情報変換処理方法。
【請求項４】
前記基準明度値設定ステップは，各色相におけるガマットの頂点の明度よりも低い明度値を前記色相の基準明度値として設定することを特徴とする請求項１に記載の色情報変換処理方法。
【請求項５】
前記明度値決定ステップは，
非再現色の彩度と、
前記色再現範囲の境界線上の色であって非再現色の明度と同じ明度をもつ色の彩度と，
の彩度の差に基づいて，非再現色の変換後の明度を決定することを特徴とする請求項１〜４の何れか一つに記載の色情報変換処理方法。
【発明の詳細な説明】
【０００１】
【発明が属する技術分野】
本発明は異なる色再現範囲を有するＣＲＴやカラープリンタ，カラーコピーなどのデバイス間において，カラー画像情報を移転する色情報変換処理方法に係り，より詳細には，主観評価の結果を基に，ガマット境界によらず所定の明度値によって非再現色の明度と再現先の明度との差が逆転されることに注目し，逆転する明度値を基準にして被出力画像の非再現色を再現可能な色に変換し，人の色再現に関する趣向を忠実に反映する色情報変換処理方法に関する。
【０００２】
【従来の技術】
近年，カラー画像を扱うメディアは様々な形態で発達してきている。たとえば，カラースキャナにより文字・画像を読み取り，コンピュータのディスプレイ上で編集・加工し，その結果をカラープリンタなどによりプリント出力するシステムがよく知られている。しかし，この場合，ディスプレイ上で再現される色とプリント出力される色とは色再現の方法や混色系（ＲＧＢ，ＹＭＣ）の違い，および色再現範囲の不一致により相互に異なる色となることもよく知られていることである。
【０００３】
このように，通常，デバイスが表現可能な色の再現範囲はそれぞれ異なっているため，入力された色のうち画像出力装置では出力できない色を再現可能な色に置き換えて変換する，いわゆるカラー・ガマット圧縮処理を行っている。
【０００４】
ところが，一般的に，被出力画像に非再現色を含む場合，非再現色の周辺の色にかかわらず上記圧縮処理がなされる。そのため，非再現色の周辺と同じ色に再現される場合があり，その結果，階調つぶれが発生することがあった。
【０００５】
そこで従来は，たとえば特公平６−３６５４８号公報の「カラー画像信号処理方法」に開示されているように，明度および彩度の双方について入力カラー画像信号によって表現される画像の特徴に適した圧縮割合を決定し，明度および彩度の階調を保存するように出力系の色再現範囲内に圧縮・写像を行っている。
【０００６】
また，上記の他に，特開昭６１−２８８６９０号公報の「カラー画像処理方法」では，色度図上の白色点を中心として色相を一定とし，出力系の色再現範囲外の点を出力系の色再現範囲内に圧縮・写像を行うものが開示されている。
【０００７】
さらに，特開平４−２８４５７９号公報の「カラー画像の処理方法およびその装置」では，カラー画像情報を明度，彩度および色相に応じてコード化し，出力系の色再現範囲外の色を色再現範囲の外縁部に変換するものが開示されている。
【０００８】
また，図１１に従来における非再現色の圧縮方法を示す。一般的には，再現範囲の境界線に対する圧縮角度（θ）を決め，その方向に向けて圧縮する方法（ａ）と，白色点に向けて圧縮する方法（ｂ）とがある。
【０００９】
また，従来はガマットの境界線のガマット頂点，すなわち，ある明度の色再現域において彩度が最も大きい色の明度を基準にし，たとえば非再現色の明度がその基準とする明度より高い場合は低い明度に，非再現色の明度がその基準とする明度より低い場合は高い明度をもつ変換色とする圧縮処理を実行していた。
【００１０】
【発明が解決しようとする課題】
しかしながら，上記に示されるような従来の特公平６−３６５４８号公報や特開昭６１−２８８６９０号公報にあっては，いずれも階調つぶれを解消するものであるが，被出力画像の非再現色を再現可能な色に変換するだけでなく再現可能な被出力画像の色に対しても変換処理がなされるため，被出力画像とは異なった色に再現されてしまう場合が生じるという問題点があった。
【００１１】
また，特開平４−２８４５７９号公報のように非再現色を画像出力系の再現可能な範囲の境界線上の様々な色に置き換えて変換しているが，望ましい圧縮方向を決める根拠が必ずしも明確でなく，主観評価結果を反映させて圧縮処理方式を定式化していないため，人の色再現に関する趣向が忠実に反映されていない。また，明度の異なる非再現色が存在する場合でも，圧縮方向が同じであれば明度差が忠実に再現されないという問題点があった。
【００１２】
これについて図１１を用いて説明すると，ａ，ｂ，ｃをそれぞれ非再現色の明度，ａ’，ｂ’，ｃ’を再現先の色の明度とした場合，ａ＞ｂ，ａ＝ｃ，ｃ＞ｂであれば，ａ’＝ｂ’，ａ’＞ｃ’，ｂ’＞ｃ’というようにａ，ｂ，ｃの間にあった階調差（明度）の関係が変化してしまうことが分かる。また，同様にｄ＜ｆ，ｄ＝ｅ，ｅ＜ｆであれば，ｄ’＝ｆ’，ｄ’＜ｅ’，ｆ’＜ｅ’というように，ｄ，ｆ，ｅの間にあった階調差（明度差）の関係が変化する。
【００１３】
本発明は，上記に鑑みてなされたものであって，主観評価の結果を基に，ガマット境界によらず所定の明度値によって非再現色の明度と再現先の明度との差が逆転されることに注目し，逆転する明度値を基準にして被出力画像の非再現色を再現可能な色に変換することにより，明度差を忠実に保存しつつ，人の色再現に関する趣向を忠実に反映することを目的とする。
【００１４】
【課題を解決するための手段】
上記の目的を達成するために，請求項１に係る色情報変換処理方法にあっては，入力画像色情報の各画素について、非再現色を画像出力系の再現可能な色に変換する色情報変換処理方法であって，着目画素が前記画像出力系の色再現範囲の内側か否かを判断する判断ステップと，非再現色の再現先を求める時に用いる基準明度値をあらかじめ設定する基準明度値設定ステップと，前記判断ステップで色再現範囲の外側であると判断された前記着目画素の明度値と，前記基準明度値との大小関係を比較する明度比較ステップと，前記明度比較ステップにおいて、前記着目画素の明度値が前記基準明度値よりも大きいと判断された場合は前記着目画素の明度値より低い明度値に変換後の明度値を決定し、前記着目画素の明度値が前記基準明度値よりも小さいと判断された場合は前記着目画素の明度値より高い明度値に変換後の明度値を決定する明度決定ステップと，前記色再現範囲の境界線上であって前記明度決定ステップで決定された変換後の明度をもつ色を変換色とする変換色決定ステップと，を含むものである。
【００１５】
すなわち，非再現色を再現範囲の境界線上の色に割り当てるとき，主観評価結果を反映し，ガマット頂点（ある明度の色再現域における彩度が最も大きい色）の明度によらず，あらかじめ設定された明度値を基準にし，元の色の明度により一義的に決まる明度を用いて望ましい色に変換するので，人の色再現に関する趣向を忠実に反映され，また，明度差を忠実に保存する色再現が実現すると共に，非再現色の明度だけで再現色の色を容易に求めることができ，さらに主観評価に基づく非再現色の圧縮方向が明確になるので，再現差の色が白っぽくなりすぎずに自然な色再現が可能となる。
【００１６】
また，請求項２に係る色情報変換処理方法にあっては，前記基準明度値設定ステップは，色相によらず一定の値に基準明度値を設定するものである。
【００１７】
すなわち，前記基準明度値設定ステップは，色相によらず一定の値に基準明度値を設定することにより，再現先の色を容易に求めることが可能になる。
【００１８】
また，請求項３に係る色情報変換処理方法にあっては，前記基準明度値設定ステップは，分割した色相の各範囲それぞれに対して、基準明度値を設定するものである。
【００１９】
すなわち，色相ごとの圧縮における変換の基準点を決めることにより，色相ごとに望ましい色に変換するので，色相に合わせた精度の高い色再現が実現する。
【００２０】
また，請求項４に係る色情報変換処理方法にあっては，前記基準明度値設定ステップは，各色相におけるガマットの頂点の明度よりも低い明度値を前記色相の基準明度値として設定するものである。
【００２１】
すなわち，基準明度値設定ステップにおいて，各色相におけるガマットの頂点の明度よりも低い明度値を前記色相の基準明度値として設定することにより，明度の逆転がなく，忠実な色再現が可能になる。
【００２２】
また，請求項５に係る色情報変換処理方法にあっては，前記明度値決定ステップは，非再現色の彩度と、前記色再現範囲の境界線上の色であって非再現色の明度と同じ明度をもつ色の彩度と，の彩度の差に基づいて，非再現色の変換後の明度を決定するものである。
【００２３】
すなわち，明度差だけでなくガマット境界からの非再現色の彩度差に注目することにより，ガマット境界近辺の非再現色がなめらかに再現される。
【００２４】
【発明の実施の形態】
以下，本発明の色情報変換処理方法について添付図面を参照し，（主観評価実験），（処理動作例）の順に詳細に説明する。
【００２５】
〔実施の形態〕
（主観評価実験）
まず，図１〜図５を用いて主観評価実験について説明する。図１は，主観評価実験における任意の非再現色の連続するカラーパッチの明度の位置や非再現色の再現された色の圧縮方向を示す説明図，図２は，後述する（Ａ）式に基づいて処理された結果として，非再現色から再現された色の圧縮方向を示す説明図，図３は，図１のような連続したカラーパッチを用いて，主観評価による非再現色の再現結果から回帰分析した結果を示すグラフ，図４は，連続カラーパッチの非再現色の分布が明度値３５よりも高いところに分布している場合における圧縮前後の明度値の関係を示すグラフ，図５は，連続カラーパッチの非再現色の分布が明度値３５よりも低いところに分布している場合における圧縮前後の明度値の関係を示すグラフである。
【００２６】
ここで，上記各図に示す符号について説明する。
Ｌ１：同一色相で非再現色である任意の連続したカラーパッチ
ｐ１〜ｐ６：カラーパッチの明度であり，パッチ間はそれぞれ均一である
Ｌ２：同一色相で再現範囲の境界線上色で主観によって元の色とを比較して決定されたカラーパッチ
ｐ１’〜ｐ６’：再現されたパッチの明度
ＧＰ：画像出力系の再現範囲の頂点の明度（ガマット頂点の明度）
ＬＰ：非再現色と再現先との明度差の正負が逆転する明度値
【００２７】
望ましい圧縮方向を推定するために，同一色相で，非再現色であり任意の連続するカラーパッチの各色（図１のＬ１：ｐ１〜ｐ６）を，それぞれ画像出力系の色再現範囲の境界線上のどの色に変換するか（図１のＬ２：ｐ１’〜ｐ６’），主観評価に基づいて実験を行った。
【００２８】
この主観評価実験の結果によると，図２に示すように望ましい圧縮方向は，ガマットの頂点よりも暗い部分でも明度が下がる傾向があり，ガマットの頂点によって圧縮の方向が逆転されるものではないことがわかった。
【００２９】
また，明度ＬＰまでは明度の低い部分から高い部分に向けて明度差を徐々に上げ，明度ＬＰの色は明度一定，明度ＬＰより低い部分は明度の低い部分から明度の高い部分に向けて明度差を徐々に下げるものであった。すなわち，白っぽくなるにしたがって徐々に明度を下げる方向に，一方，黒っぽくなるにしたがって明度を上げる方向へ圧縮することが望ましい。
【００３０】
なお，図２において，
Ｃ１，Ｃ２，Ｄ１，Ｄ２は任意，
ＬＰ≦ｐ１〜ｐ６，ｐ１＞ｐ６のとき，
ｐ１’＝Ｃ１×（ｐ１−ＬＰ）＋ＬＰ＋Ｄ１
・・・
・・・
ｐ６’＝Ｃ１×（ｐ６−ＬＰ）＋ＬＰ＋Ｄ１
ＬＰ＞ｐｐ１〜ｐｐ６，ｐｐ１＞ｐｐ６のとき，
ｐｐ１’＝Ｃ２×（ｐｐ１−ＬＰ）＋ＬＰ＋Ｄ２
・・・
・・・
ｐｐ６’＝Ｃ２×（ｐｐ６−ＬＰ）＋ＬＰ＋Ｄ２
したがって，明度差は，
ｐ１−ｐ１’＞ｐ６−ｐ６’，ｐｐ１−ｐｐ１’＜ｐｐ６−ｐｐ６’
となる。
【００３１】
また，実験値の回帰分析の結果，図３のグラフから圧縮前後の明度の関係をみると，明度の最大値を１００に正規化したときに，明度差の正負が逆転する明度値はおおよそ３５であり，この値を用いてさらに解析すると，図４および図５に示すグラフのようになり，共にリニアな相関関係をもっている傾きが若干異なることを示している。
【００３２】
したがって，上記結果から圧縮前後の明度差によって次に示すような単純な一次相関関係で表せることが分かった。ただし，明度は白の明度値を１００として正規化した値を用いる。
【００３３】
すなわち，
図４のグラフから，Ｌ１≧ＬＰのとき，
Ｌ２＝０．９１×（Ｌ１−ＬＰ）＋ＬＰ＋０
図５のグラフから，Ｌ１＜ＬＰのとき，
Ｌ２＝０．８７×（Ｌ１−ＬＰ）＋ＬＰ＋０
となり，以下のような（Ａ）式で表すことができる。
【００３４】
Ｌ２＝Ｃ×（Ｌ１−ＬＰ）＋ＬＰ＋Ｄ  ・・・（Ａ）
ただし，Ｃ，Ｄは定数である。
【００３５】
次に，以上説明した主観評価結果を踏まえ，実施の形態の処理動作例をフローチャートに基づいて（処理動作例１），（処理動作例２），（処理動作例３），（処理動作例４），（処理動作例５）の順に説明する。
【００３６】
（処理動作例１）
図６は，実施の形態の処理動作例１を示すフローチャートである。図６において，この色再現処理は以下に示す手順で行われる。
【００３７】
まず，画像色情報を入力し（Ｓ６０１），該画像色情報を，たとえばＬａｂ座標値に変換する（Ｓ６０２）。続いて，非再現色であるか否かを判断する（Ｓ６０３）。ここで非再現色であると判断した場合，同一色相で元の色の明度より一義的に決定される明度差を用いて変換後の色情報を決定し，再現範囲の境界線上にある色を求める（Ｓ６０４）。
【００３８】
一方，上記ステップＳ６０３において，非再現色ではないと判断した場合，色再現処理を行わず，画像出力系に出力できる色情報に変換し（Ｓ６０５），その画像出力を実行する（Ｓ６０６）。また，上記ステップＳ６０４を実行した後にも，このステップＳ６０５を実行する。
【００３９】
図７は，図６におけるステップＳ６０４の細部処理動作を示すフローチャートである。図において，まず，明度値ＬＰを取り出す（Ｓ７０１）。換言すれば，明度値ＬＰの値はあらかじめ決められ，また，ＬＰの値は色相によらず常に同一の値が与えられる。
【００４０】
次いで，ＬＰ≧Ｌの判断，すなわち，非再現色の明度と明度値ＬＰとの大小関係を比較判断する（Ｓ７０２）。ここで非再現色の明度がＬＰより高いと判断した場合，定数Ｃ１，Ｄ１を前述の（Ａ）式に代入し，再現先の明度Ｌ２を求める（Ｓ７０３）。
【００４１】
すなわち，Ｃ１×（Ｌ−ＬＰ）＋ＬＰ＋Ｄ１の計算値をＬ２とする。これにより，前述の図２におけるｐ１→ｐ１’，ｐ６→ｐ６’というような圧縮方向となる。たとえば，定数をＣ１＝０．９１，Ｄ１＝０．０とする。
【００４２】
一方，上記ステップＳ７０２において，非再現色の明度がＬＰより低いと判断した場合，明度が高い場合の定数Ｃ１，Ｄ１とは異なる定数Ｃ２，Ｄ２を（Ａ）式に代入し，再現先の明度Ｌ２を求める（Ｓ７０４）。
【００４３】
すなわち，Ｃ２×（Ｌ−ＬＰ）＋ＬＰ＋Ｄ２の計算値をＬ２とする。これにより，前述の図２におけるｐｐ１→ｐｐ１’，ｐｐ６→ｐｐ６’というような圧縮方向となる。たとえば，定数をＣ２＝０．８７，Ｄ２＝０．０とする。
【００４４】
上記ステップＳ７０３あるいはＳ７０４の処理が終了すると，次に，明度Ｌ２をもつ色再現範囲の境界線上の色座標を求める（Ｓ７０５）。つまり，明度がＬ２であり，再現範囲の境界線上の点を求めることにより，望ましい再現色（たとえば，（Ｌ２，ａ２，ｂ２））が求められる。たとえば，非再現色の色相を調べ，それと同一色相の再現範囲の境界線上の点を求める。なお，この場合，同一色相に限る必要はない。
【００４５】
（処理動作例２）
この処理動作例２では，前述した図７のステップＳ７０１の処理を以下に述べるような手順で実行する。
【００４６】
あらかじめ作成されたＮ分割された色相それぞれに対し，Ｎ個の基準値ＬＰが対応するテーブルを用い，非再現色の色相の値における前後のＬＰの値を用いて補間することによりＬＰを決定する。
【００４７】
次に，図８に示すグラフにより前述の式におけるＣの値が０〜０．９の範囲にあることから，このＣ値を決める特徴量として，ガマット境界から彩度差に注目した結果，図９に示すグラフのようになり，以下の関係式が成立する。ただし，図９のグラフではＡｚ＝０．９４としている。
【００４８】
すなわち，
0003642888.tif 000002
の関係式が成立する。
【００４９】
また，ガマット境界からの彩度差をΔＣとすると，Ｌratio はΔＣが０に近いところではＬratio ＝０，すなわち，Ｌ２＝１による再現（明度一定方向の再現）が望ましいことを示し，一方，ガマット境界からの彩度差が大きくなるとＬratio の最大値は徐々に増加していることを示している。つまり，彩度差がガマット境界の彩度値から遠ざかるにしたがって，望ましい圧縮先の範囲“明度一定方向〜Ａｚ×明度Ｌ１”は広がり，この範囲を決めるＡｚはΔＣが増加するにしたがって単調に増加する。
【００５０】
したがって，Ｌratio ＝ｆ（ΔＣ）として記述することができ，ΔＣの値が大きい場合は前述の（Ａ）式の定数Ｃに収束する単調減少関数となり，後述する（Ｂ）式の関係で表すことができる。
【００５１】
（処理動作例３）
この処理動作例３では，前述した処理動作例２を踏まえた処理動作を実行するものである。すなわち，非再現色がガマット境界の近傍にある場合は，非再現色からガマット境界に最も近い値になることが望ましい。そこで，前述の（Ａ）式を以下に述べる（Ｂ）式に修正する。
【００５２】
つまり，ガマット境界からの彩度差ΔＣに着目し，ΔＣが０に近いところではＬ２＝Ｌ１による再現（明度一定方向の再現）が望ましいことを示し，一方．ガマット境界からの彩度差ΔＣが大きくなると（Ａ）式の関係に近づくようにする
。
【００５３】
ここで，ｆ（ΔＣ）はΔＣが０のときは１であり，ΔＣの値が大きくなるにしたがって（Ａ）式の定数Ｃに収束する単調減少関数とする。
Ｌ２＝ｆ（ΔＣ）×Ｌ１＋Ｄ’  ・・・（Ｂ）
なお，上記（Ｂ）式において，
ｆ（ΔＣ）：１．００〜（Ａ）式のＣ（単調減少関数）
ΔＣ：ガマット境界からの元の色の彩度差
である。
【００５４】
したがって，この処理動作例３では，前述したステップＳ６０４（図６参照）における処理を，上記（Ｂ）式に基づいた処理で計算することにより実行する。
【００５５】
（処理動作例４）
ここでは，前述したステップＳ７０３（図７参照）の処理を下記（Ｂ−３）式を用いて実行する。
【００５６】
Ｌ２＝ｆ’（ΔＣ）×（Ｌ−ＬＰ）＋ＬＰ＋Ｄ１  ・・・（Ｂ−３）
なお，上記（Ｂ−３）式において，
ｆ’（ΔＣ）：１．００〜ステップＳ７０４式のＣ２（単調減少関数）
ΔＣ：ガマット境界からの元の色の彩度差
である。
【００５７】
（処理動作例５）
ここでは，前述したステップＳ７０１（図７参照）の処理を以下に示す手順により実行する。
【００５８】
すなわち，あらかじめ作成されたＮ分割された色相それぞれに対し，Ｎ個の基準値ＬＰが対応するテーブルを用い，非再現色の色相の値における前後のＬＰの値を用いて補間することによりＬＰを決定する。
【００５９】
（実施の形態の効果）
次に，以上説明した実施の形態が奏する効果について列記する。
【００６０】
第１に，図６および図７の処理動作例１で述べたように非再現色の圧縮前後の明度差に注目して処理を行っているので，圧縮による階調つぶれが回避される。また，明度の逆転がなく，忠実な色再現を行うことができる。さらに，非再現色の明度だけで，再現先の色を容易に求めることができる。この本発明による方式を図１０に示す。
【００６１】
また，主観評価に基づく非再現色の圧縮方向が明確になる。このため再現先の色が白っぽくなりすぎず，あるいは黒っぽくなりすぎず，自然な色再現が実現する。
【００６２】
すなわち，図１０において，ａ，ｂ，ｃをそれぞれ非再現色の明度，ａ’，ｂ’，ｃ’を再現先の色の明度とした場合，ａ＞ｂ，ａ＝ｃ，ｃ＞ｂであれば，ａ’＞ｂ’，ａ’＝ｃ’，ｃ’＞ｂ’というようにａ，ｂ，ｃの間にあった階調差（明度）の関係が保持されていることが分かる。また，ａとｃとの彩度差はあまり感じられないため，ａ’＝ｃ’が成り立つ。
【００６３】
同様に，ｄ＜ｆ，ｄ＝ｅ，ｅ＜ｆであれば，ｄ’＜ｆ’，ｄ’＝ｅ’，ｅ’＜ｆ’というように，ｄ，ｆ，ｅの間にあった階調差（明度差）の関係が保持される。さらにｄ，ｅの彩度差は余り感じられないため，ｄ’＝ｅ’が成立する。
【００６４】
第２に，非再現色の色相によって圧縮を異ならせているので，色相に合わせた精度の高い再現が可能となる。
【００６５】
第３に，明度差だけでなくガマット境界からの非再現色の彩度差に注目することによって，ガマット境界近辺の非再現色のなめらかな再現が可能となる。
【００６６】
なお，これらの処理はきわめて単純な処理なので，実現が非常に容易であり，非再現色を含む自然画の処理においても，良好な画像に再現されることを確認することできた。
【００６７】
【発明の効果】
以上説明したように，本発明に係る色情報変換処理方法（請求項１）によれば，非再現色を再現範囲の境界線上の色に割り当てるとき，主観評価結果を反映し，ガマット頂点（ある明度の色再現域における彩度が最も大きい色）の明度によらず，あらかじめ設定された明度値を基準にし，元の色の明度により一義的に決まる明度を用いて望ましい色に変換するので，人の色再現に関する趣向を忠実に反映され，また，明度差を忠実に保存する色再現が実現すると共に，非再現色の明度だけで再現色の色を容易に求めることができ，さらに主観評価に基づく非再現色の圧縮方向が明確になるので，再現差の色が白っぽくなりすぎずに自然な色再現が可能となる。
【００６８】
また，本発明に係る色情報変換処理方法（請求項２）によれば，前記基準明度値設定ステップは，色相によらず一定の値に基準明度値を設定することにより，再現先の色を容易に求めることができる
【００６９】
また，本発明に係る色情報変換処理方法（請求項３）によれば，色相ごとの圧縮における変換の基準点を決めることにより，色相ごとに望ましい色に変換するので，色相に合わせた精度の高い色再現が実現する。
【００７０】
また，本発明に係る色情報変換処理方法（請求項４）によれば，基準明度値設定ステップにおいて，各色相におけるガマットの頂点の明度よりも低い明度値を前記色相の基準明度値として設定することにより，明度の逆転がなく，忠実な色再現が実現する。
【００７１】
また，本発明に係る色情報変換処理方法（請求項５）によれば，明度差だけでなくガマット境界からの非再現色の彩度差に注目するため，ガマット境界近辺の非再現色をなめらかに再現することができる。
【図面の簡単な説明】
【図１】実施の形態に係る主観評価実験における任意の非再現色の連続するカラーパッチの明度の位置や非再現色の再現された色の圧縮方向を示す説明図である。
【図２】実施の形態に係る（Ａ）式に基づいて処理された結果として，非再現色から再現された色の圧縮方向を示す説明図である。
【図３】図１のような連続したカラーパッチを用いて，主観評価による非再現色の再現結果を回帰分析した結果を示すグラフである。
【図４】連続カラーパッチの非再現色の分布が明度値３５よりも高いところに分布している場合における圧縮前後の明度値の関係を示すグラフである。
【図５】連続カラーパッチの非再現色の分布が明度値３５よりも低いところに分布している場合における圧縮前後の明度値の関係を示すグラフである。
【図６】実施の形態の処理動作例１を示すフローチャートである。
【図７】図６におけるステップＳ６０４の細部処理動作例を示すフローチャートである。
【図８】実施の形態の処理動作例２に係る連続カラーパッチ全体の傾向および圧縮前後の明度間の関係（１）を示すグラフである。
【図９】実施の形態の処理動作例２に係る連続カラーパッチ全体の傾向および圧縮前後の明度間の関係（２）を示すグラフである。
【図１０】本発明に係る非再現色の圧縮方法を示す説明図である。
【図１１】従来における非再現色の圧縮方法を示す説明図である。
【符号の説明】
Ｌ１  同一色相で非再現色である任意の連続したカラーパッチ
ｐ１〜ｐ６  パッチの明度
Ｌ２  同一色相で再現範囲の境界線上色で主観によって元の色とを比較して決定されたカラーパッチ
ｐ１’〜ｐ６’  再現されたパッチの明度
ＧＰ  画像出力系の再現範囲の頂点（ガマット頂点）の明度
ＬＰ  非再現色と再現先との明度差の正負が逆転する明度値
【図１】
0003642888.tif 000003
【図２】
0003642888.tif 000004
【図３】
0003642888.tif 000005
【図４】
0003642888.tif 000006
【図５】
0003642888.tif 000007
【図６】
0003642888.tif 000008
【図７】
0003642888.tif 000009
【図８】
0003642888.tif 000010
【図９】
0003642888.tif 000011
【図１０】
0003642888.tif 000012
【図１１】
0003642888.tif 000013